(57)【要約】【課題】本発明は、モデュレータの漏れ磁界を補正し、コンバージェンス特性を損なうことなく画歪を抑制するようにする。【解決手段】本発明は、偏向ヨークの開口部の上側に設けられたモデュレータ２２のマグネット２２３、２２４の極性の向きに対応して、開口部の右上側と左上側に角状マグネット２４、２５を設け、マグネット２２３、２２４の漏れ磁界による電子ビームに対する影響を角状マグネット２４、２５の漏れ磁界によって抑制することができる。【選択図】図１０
2009009850.tif 000002
【特許請求の範囲】
【請求項１】
１組のマグネットによって磁気バイアスがかけられた変調コイルを搭載した偏向ヨークを有する表示装置であって、
上記変調コイルの開口部に配置され、上記変調コイルに磁気バイアスをかける上記マグネットの漏れ磁界を打ち消すような極性を有する磁気補正手段
を具えることを特徴とする表示装置。
【請求項２】
上記磁気補正手段は、上記マグネットに対応して２つで１組とされる
ことを特徴とする請求項１に記載の表示装置。
【請求項３】
上記１組の磁気補正手段は、上記変調コイルが配置された上記偏向ヨークの開口部の少なくとも上端部、または下端部に配置される
ことを特徴とする請求項１に記載の表示装置。
【発明の詳細な説明】
【技術分野】
【０００１】
本発明は、表示装置に関し、例えば、モデュレータからの漏れ磁界による画歪を抑制する表示装置に適用して好適なものである。
【背景技術】
【０００２】
従来、カラー陰極線管においては、電子銃から出射された電子ビームの進行方向を上下左右に偏向することにより、画面上にカラー画像を表示している。電子ビームの偏向には、水平偏向コイルと、垂直偏向コイルと、コアを有する偏向ヨークが用いられる。偏向ヨークは、陰極線管のネック部からファンネル部に至るコーン部に装着される。この偏向ヨークによって、電子銃から出射される３本の電子ビームの軌道上に水平偏向磁界と水平偏向磁界とが形成され、これら偏向磁界によって電子ビームが上下左右に偏向される。
【０００３】
近年、テレビジョン受像機やコンピュータディスプレイ等の陰極線管の性能は高精度化が要求されている。また、ＣＲＴ（Cathode Ray Tube）パネルもフラット化が進んでいる。ＣＲＴパネルがフラット化されることにより、幾何学的に画歪が大きく現れる。また、３本のビームを１点に集中させることが難しくなっている。
【０００４】
画歪は、偏向ヨークの開口部に棒状のマグネットを配置し、偏向ヨークの後方にコマコイルなるサブコイルを設けて改善している。コンバージェンスは、水平偏向コイルと垂直偏向コイルの磁界分布だけでは、図５に示すように、Ｘ軸、Ｙ軸を合わせることはできるが、コーナーでは色ずれが生じる。これを改善するためにモデュレータが採用されている。このモデュレータは、例えば画面の上部近傍に配置され、図３に示すように、上下の水平偏向コイルに流れる電流を垂直周期で変調させている。
【０００５】
また、コンバージェンス特性に悪影響を及ぼすことなく画面の上下方向に生じるミスコンバージェンスを安価に補正する方法として、偏向ヨークの水平軸から等距離間隔で上下位置に対をなして偏向ヨーク水平軸にほぼ並行にかつ偏向ヨーク水平軸を介して対向する状態に配置される１対の磁性片をスライド可能に設けるようになされたものがある（例えば、特許文献１参照）。
【特許文献１】特開2003-132819公報
【発明の開示】
【発明が解決しようとする課題】
【０００６】
ところでかかる構成の表示装置においては、モデュレータでは、垂直偏向電流で水平偏向電流を全て変調せずに、強力なマグネットで磁気バイアスを与えるようにしている。このようにすることで、画面に均一にコンバージェンスを高精度に合わせることができる。このモデュレータに磁気バイアスを与えるマグネットの漏れ磁界により、表示装置の画面において、モデュレータが配置されている側に近い方に画歪が生じる。ＣＲＴのパネルがフラット化されることにより、僅かな画歪でもそのずれが明確に認識されるようになり、著しい品質劣化となるという問題があった。
【０００７】
また、特許文献１の発明では、上下ミスコンバージェンスを安価に補正することができるが、モデュレータからの漏れ磁界の影響を打ち消す方法については考慮されていないという問題があった。
【０００８】
本発明は以上の点を考慮してなされたもので、モデュレータからの漏れ磁界による画歪を、コンバージェンス特性をできるだけ損なわずに抑制することができる表示装置を提案しようとするものである。
【課題を解決するための手段】
【０００９】
かかる課題を解決するため本発明の表示装置においては、１組のマグネットによって磁気バイアスがかけられた変調コイルを搭載した偏向ヨークを有する表示装置であって、変調コイルの開口部に配置され、変調コイルに磁気バイアスをかけるマグネットの画質に悪影響を与える漏れ磁界を打ち消すような極性を有する磁気補正手段を設けるようにした。
【００１０】
これにより、マグネットの漏れ磁界を打ち消すことができるので、良好なコンバージェンス特性を可能な限り損なうことなく画歪を抑制することができる。
【００１１】
また、磁気補正手段は、マグネットに対応して２つで１組とされるようにすることができる。
【００１２】
また、１組の磁気補正手段は、変調コイルが配置された偏向ヨークの開口部の少なくとも上端部、または下端部に配置されるようにすることができる。
【発明の効果】
【００１３】
本発明によれば、変調コイルの開口部に配置された磁気補正手段により、この変調コイルに磁気バイアスをかけるマグネットの画質に悪影響を与える漏れ磁界を打ち消すことができるので、良好なコンバージェンス特性を可能な限り損なうことなく画歪を抑制し得る表示装置を実現することができる。
【発明を実施するための最良の形態】
【００１４】
以下、図面について、本発明の一実施の形態を詳述する。
【００１５】
（１）第１の実施の形態
（１−１）陰極線管の全体構成
図１において、１００は、全体として本発明の表示装置の第１の実施の形態の概略斜視図である。図１において、表示装置としての陰極線管バルブ１０は、パネル部１１と、ファンネル部１２と、ネック部１３等から構成されている。パネル部１１の内面には、赤（Ｒ）、緑（Ｇ）、青（Ｂ）の各色の蛍光体を所定のパターンで配列してなる蛍光面（不図示）が形成されている。
【００１６】
また、陰極線管バルブ１０のネック部１３には、電子ビームの出射源となる電子銃１４が組み込まれている。さらに、陰極線管バルブ１０のネック部１３からファンネル部１２に至るコーン部２５には、電子銃１４から出射された電子ビームを偏向する偏向ヨーク１５が装着されている。
【００１７】
図２（ａ）は、偏向ヨーク１５の一部破断面を含む陰極線管バルブ１０の側面図である。図２（ｂ）は、陰極線管バルブ１０の背面図である。図２（ａ）および図２（ｂ）に示すように、偏向ヨーク１５は、水平偏向コイル１６と、垂直偏向コイル１７と、セパレータ１８と、磁性体コア（ＤＹ(Deflection Yoke）コア）１９と、リングマグネット２０と、コマ補正コイル（コマコイル)２１と、モデュレータ２２と、上下歪補正マグネット２３等から構成されている。水平偏向コイル１６は、セパレータ１８の内側に巻装され、垂直偏向コイル１７は、セパレータ１８の外側に巻装されている。
【００１８】
水平偏向コイル１６は、電子銃１４から出射された電子ビームを画面の左右方向（水平）に偏向するものであり、垂直偏向コイル１７は、電子銃１４から出射された電子ビームを画面の上下方向（垂直方向）に偏向するものである。水平偏向コイル１６は、セパレータ１８に鞍型（サドル型）に巻線され、偏向ヨーク１５の上下に対をなして配置されている。垂直偏向コイル１７は、磁性体コア１９に直接巻線され、いわゆるトロイダル巻線方式にて巻線されている。磁性体コア１９は、偏向コイル１５から発生する磁界の効率をより高めるために用いられるもので、フェライト等の磁性材料からなるものである。
【００１９】
リングマグネット２０は、電子銃１４の組み立て誤差等を補正するためのものであり、偏向ヨーク１５の後端側に装着されている。
【００２０】
図３は、パネル部１１がフラットな場合に生じる上下歪を表している。左右歪は予め補正されているものとする。この上下歪は、図２に示したコマコイル２１に垂直偏向電流を流すことにより改善される。上下歪が改善されることにより、図４に示すようなコンバージェンス特性の劣化現象（ミスコンバージェンス（画面上の色ずれ））が最終的に残ってしまう。
【００２１】
このミスコンバージェンスを改善するために、図５に示すようなモデュレータ（Ｍ／Ｄ）２２が考案された。モデュレータ（Ｍ／Ｄ）２２は、水平モデュレータコイル２２１，２２２と、マグネット２２３，２２４と、垂直偏向電流が流されるコイル２２５とによって構成されている。
【００２２】
このモデュレータ（Ｍ／Ｄ）２２は、図６に示すように、水平偏向コイル１６の一部に組み込まれている。このモデュレータ（Ｍ／Ｄ）２２を構成する水平モデュレータコイル２２１，２２２をそれぞれ、コイル２２５に垂直偏向電流を流すことによって変調することにより、図４に示したような画面の左右の端部（コーナー部）におけるミスコンバージェンスを改善することができる。
【００２３】
また、図５に示したように、モデュレータ２２には、磁気バイアスを与えるために左右の端部に強力なマグネット２２３，２２４がそれぞれ配置されている。図７は、このマグネット２２３，２２４の極性に対応して発生するマグネット２２３，２２４の漏れ磁界を示している。
【００２４】
一般に、偏向ヨーク１５の配線板は製造上やユーザの都合上、偏向ヨーク１５の上側に配置されている。以下では、モデュレータ２２が偏向ヨーク１５の上側に配置されているものとして説明する。勿論、偏向ヨーク１５の下側にモデュレータ２２が配置される場合も基本的に同様であることは言うまでもない。
【００２５】
図７に示したように、モデュレータ２２の漏れ磁界により、画面右上端では、電子ビームが上方向に偏向され、画面左上端では電子ビームが下方向に偏向される。その結果、図８に示すような画歪（台形状の歪）が生じる。
【００２６】
図８に示したような画歪を改善するためには、モデュレータ２２のマグネット２２３，２２４の漏れ磁界をキャンセルすればよい。モデュレータ２２のマグネット２２３，２２４の磁界は強力なため、それをキャンセルするためには強い磁界を発生するキャンセルマグネットが必要となるが、マグネット２２３，２２４によって発生する全ての磁界をキャンセルすると、本来の目的であるコンバージェンスの改善ができなくなる。コンバージェンスの特性を損なうことなく画歪を改善するためには、画歪の発生に大きく影響する場所に角状マグネット２４（図９）を配置すればよい。
【００２７】
図９は、偏向ヨーク１５を正面から見た図である。偏向ヨーク１５の上下には棒状のマグネット２３が配置されている。そして、偏向ヨーク１５の開口部の右上部と左上部にそれぞれ角状マグネット２４，２５がそれぞれ配置されている。この角状マグネット２４，２５は、コンバージェンスを大きく変えることなく画歪を大きく変えるように作用するように、偏向ヨーク１５の開口部にそれぞれ配置されている。
【００２８】
この例では、モデュレータ２２のマグネットの極性に合わせて、偏向ヨーク１５の左上部に配置された角状マグネット２５の極性は、Ｓ極が左側、Ｎ極が右側となっている。右上部に配置された角状マグネット２４の極性は、Ｎ極が左側、Ｓ極が右側となっている。
【００２９】
（１−２）動作および効果
以上の構成において、偏向コイル１５の開口部に配置された角状マグネット２４と角状マグネット２５の漏れ磁界は、それぞれ、モデュレータ２２のマグネット２２３，２２４の漏れ磁界が画歪に変化を与えるような影響を及ぼす範囲内でその影響を打ち消すように作用する。これにより、構造的に簡単かつ安価な方法で良好なコンバージェンス特性と画歪の少ない画質を持った表示装置を提供することができる。また、表示装置の回路側での補正量を少なくすることができるのでさらにコストを削減することができる。
【００３０】
図１０は、モデュレータ２２のマグネット２２３，２２４の漏れ磁界と、角状マグネット２４，２５の磁界が電子ビームに対して作用する力の方向をそれぞれ示している。マグネット２２３は、電子ビームに対して上方向の力を加える。これに対して、角状マグネット２４は、電子ビームに対して下方向の力を加える。これにより、電子ビームに対する漏れ磁界による影響が打ち消し合うことになる。一方、マグネット２２４は、電子ビームに対して下方向の力を加える。これに対して、角状マグネット２５は、電子ビームに対して上方向の力を加える。これにより、電子ビームに対する漏れ磁界による影響が打ち消し合うことになる。
【００３１】
このように、モデュレータ２２のマグネット２２３，２２４の漏れ磁界による影響が、角状マグネット２４，２５によってそれぞれ打ち消されることにより、図８に示したようなモデュレータ２２の漏れ磁界による画歪の発生を抑制することができる。
【００３２】
以上の構成によれば、偏向ヨーク１５の開口部に配置された角状マグネット２４，２５の漏れ磁界によって、モデュレータ２２のマグネット２２３，２２４の漏れ磁界による電子ビームに対する影響を打ち消すことができるので、モデュレータ２２のマグネット２２３，２２４によって画歪が生じることを抑制することができる。
【００３３】
（２）第２の実施の形態
（２−１）角状マグネットの配置例
図１１は、本発明の第２の実施の形態における角状マグネット２４，２５の配置例を示している。その他の構成は第１の実施の形態の場合と同様であるのでその説明は省略する。第２の実施の形態の場合、第１の実施の形態に対して、モデュレータ２２の水平モデュレータコイル２２１，２２２の巻線方向が逆とされ、マグネット２２３，２２４の極性も逆向きとされている。これにより、角状マグネット２４，２５の極性も逆向きとなっている。
【００３４】
即ち、モデュレータ２２のマグネット２２３，２２４の極性に合わせて、偏向ヨーク１５の左上部に配置された角状マグネット２５の極性は、Ｎ極が左側、Ｓ極が右側となっている。右上部に配置された角状マグネット２４の極性は、Ｓ極が左側、Ｎ極が右側となっている。
【００３５】
（２−２）動作および効果
以上の構成において、偏向コイル１５の開口部に配置された角状マグネット２４と角状マグネット２５の漏れ磁界は、それぞれ、モデュレータ２２のマグネット２２３，２２４の漏れ磁界が画歪に変化を与えるような影響を及ぼす範囲内でその影響を打ち消すように作用する。これにより、構造的に簡単かつ安価な方法で良好なコンバージェンス特性と画歪の少ない画質を持った表示装置を提供することができる。また、表示装置の回路側での補正量を少なくすることができるのでさらにコストを削減することができる。
【００３６】
（３）第３の実施の形態
（３−１）角状マグネットの配置例
図１２は、本発明の第３の実施の形態における角状マグネット２４，２５の配置例を示している。第３の実施の形態の場合、第１の実施の形態に対して、モデュレータ２２が偏向ヨーク１５の下側に配置されている。また、角状マグネット２４，２５も、モデュレータ２２の配置場所に合わせて偏向ヨーク１５の下側に配置されている。その他の構成は第１の実施の形態の場合と同様であるのでその説明は省略する。水平モデュレータコイル２２１，２２２の巻線方向は第１の実施の形態と同様であり、マグネット２２３，２２４の極性も同じ向きとされている。従って、角状マグネット２４，２５の極性の向きも第１の実施の形態の場合と同様である。
【００３７】
即ち、偏向ヨーク１５の下側に配置されたモデュレータ２２のマグネット２２３，２２４の極性に合わせて、偏向ヨーク１５の左下部に配置された角状マグネット２５の極性は、Ｎ極が左側、Ｓ極が右側となっている。右上部に配置された角状マグネット２４の極性は、Ｓ極が左側、Ｎ極が右側となっている。
【００３８】
（３−２）動作および効果
以上の構成において、偏向コイル１５の開口部に配置された角状マグネット２４と角状マグネット２５の漏れ磁界は、それぞれ、モデュレータ２２のマグネット２２３，２２４の漏れ磁界が画歪に変化を与えるような影響を及ぼす範囲内でその影響を打ち消すように作用する。これにより、構造的に簡単かつ安価な方法で良好なコンバージェンス特性と画歪の少ない画質を持った表示装置を提供することができる。また、表示装置の回路側での補正量を少なくすることができるのでさらにコストを削減することができる。
【００３９】
（４）他の実施の形態
なお上述の実施の形態においては、角状マグネット２４，２５を用いる場合について述べたが、本発明はこれに限らず、コイルを用いるようにしても良い。
【００４０】
また上述の実施の形態においては、変調コイルに磁気バイアスをかける第１のマグネットとしてのマグネット２２３，２２４の漏れ磁界を打ち消すような極性を有する磁気補正手段としての角状マグネット２４，２５によって本発明を構成するようにした場合について述べたが、本発明はこれに限らず、その他の磁気補正手段によって本発明を構成するようにしても良い。
【産業上の利用可能性】
【００４１】
本発明の表示装置は、例えばテレビジョン受像機やその他の種々のＣＲＴを用いた機器に適用することができる。
【図面の簡単な説明】
【００４２】
【図１】本発明の表示装置の第１の実施の形態の概略斜視図である。
【図２】偏向ヨークの一部破断面を含む陰極線管バルブの側面図と、陰極線管バルブの背面図である。
【図３】パネル部がフラットな場合に生じる上下歪の例を示す略線図である。
【図４】コンバージェンス特性の劣化現象を示す略線図である。
【図５】モデュレータ（Ｍ／Ｄ）の構成例を示す略線図である。
【図６】水平偏向コイル１６の一部に組み込まれているモデュレータの回路構成を示す略線図である。
【図７】マグネットの漏れ磁界を示す略線図である。
【図８】画歪の例を示す略線図である。
【図９】偏向ヨークを正面から見た略線図である。
【図１０】モデュレータのマグネットの漏れ磁界と、角状マグネットの漏れ磁界が電子ビームに対して作用する力の方向を示す略線図である。
【図１１】本発明の第２の実施の形態の構成例を示す略線図である。
【図１２】本発明の第３の実施の形態の構成例を示す略線図である。
【符号の説明】
【００４３】
１０……陰極線管バルブ、１１……パネル部、１２……ファンネル部、１３……ネック部、１４……電子銃、１５……偏向ヨーク、１６……水平偏向コイル、１７……垂直偏向コイル、１８……セパレータ、１９……磁性体コア、２０……リングマグネット、２１……コマ補正コイル（コマコイル）、２２……モデュレータ、２３……上下歪補正マグネット（棒状マグネット）、２４，２５……角状マグネット、２２３，２２４……マグネット、２２１，２２２……水平モデュレータコイル、２２５……コイル。
【図１】
2009009850.tif 000003
【図６】
2009009850.tif 000004
【図２】
2009009850.tif 000005
【図３】
2009009850.tif 000006
【図４】
2009009850.tif 000007
【図５】
2009009850.tif 000008
【図７】
2009009850.tif 000009
【図８】
2009009850.tif 000010
【図９】
2009009850.tif 000011
【図１０】
2009009850.tif 000012
【図１１】
2009009850.tif 000013
【図１２】
2009009850.tif 000014